(57)【要約】  媒体を流体で飽和または通気するためのアセンブリが開示されている。ゲートおよびベントを有する少なくとも１つの中空シリンダーが、穀物塊に埋め込まれている。穀物塊のターゲットセクションが特定され、ゲートおよびベントが作動して、流入する流れをターゲットセクションに鉛直方向および水平方向の両方で提供する。【選択図】図１
2021523831.tif 000002
【特許請求の範囲】
【請求項１】
流体で媒体を飽和させるアセンブリにおいて：
入口ポートと排出ポートを有して、媒体に埋め込まれている少なくとも１つの中空シリンダーと；
少なくとも１つの前記中空シリンダーの開口を選択的に開閉する少なくとも１つのベントアセンブリと；を具えるアセンブリ。
【請求項２】
請求項１に記載のアセンブリにおいて、少なくとも１つのゲートが少なくとも１つの前記中空シリンダー内に配置されて、少なくとも１つの前記シリンダーを通る流体の流れを選択的に制限することを特徴とするアセンブリ。
【請求項３】
請求項１に記載のアセンブリにおいて、少なくとも１つの前記ベントアセンブリが空気圧式であることを特徴とするアセンブリ。
【請求項４】
請求項１に記載のアセンブリが、さらに、前記媒体内に配置された複数のセンサーであって、媒体の状態を測定するように構成された複数のセンサーを具えることを特徴とするアセンブリ。
【請求項５】
請求項１に記載のアセンブリにおいて、１以上の流体調整装置が、前記中空シリンダーと連通していることを特徴とするアセンブリ。
【請求項６】
請求項１に記載のアセンブリにおいて、少なくとも２つの中空シリンダーが流体を案内し、前記媒体を通る水平方向の流体の移動を可能とすることを特徴とするアセンブリ。
【請求項７】
請求項１に記載のアセンブリにおいて、少なくとも２つの中空シリンダーが、前記媒体内に鉛直方向の領域を分割することを特徴とするアセンブリ。
【請求項８】
請求項１に記載のアセンブリにおいて、少なくとも１つの前記ゲートが前記媒体を複数の水平方向の層に分割していることを特徴とするアセンブリ。
【請求項９】
請求項１に記載のアセンブリにおいて、前記媒体が、水平方向の層と鉛直方向の領域により画定されるセクションを有することを特徴とするアセンブリ。
【請求項１０】
請求項９に記載のアセンブリにおいて、各セクションに関連する少なくとも１つのセンサーが、前記セクション内の媒体に関する情報をコンピューターに送信し、当該コンピューターが前記セクション内の媒体の状態を計算することを特徴とするアセンブリ。
【請求項１１】
請求項１０に記載のアセンブリにおいて、前記コンピューターがターゲットセクションを決定することを特徴とするアセンブリ。
【請求項１２】
請求項１１に記載のアセンブリにおいて、前記コンピューターが少なくとも１つの前記ベントアセンブリと少なくとも１つの前記ゲートを作動させて、流入する流れと、前記ターゲットセクションを通る流れと、前記ターゲットセクションから排出される流出する流れとの流路を生成することを特徴とするアセンブリ。
【請求項１３】
請求項１０に記載のアセンブリにおいて、少なくとも２つのシリンダーが前記媒体に埋め込まれ、各シリンダーが少なくとも１つのゲートと１つのベントアセンブリとを有しており、前記ゲートとベントアセンブリが、１つのシリンダーを通る流入する空気と、前記ターゲットセクションを通る流れと、前記媒体から前記他方のシリンダーへの排出および水平方向の空気の流れとを可能にすることを特徴とするアセンブリ。
【請求項１４】
請求項１０に記載のアセンブリにおいて、少なくとも１つの前記シリンダーが複数のベントアセンブリを有し、前記ベントアセンブリの間に少なくとも１つのゲートアセンブリを有しており、流入した空気が前記シリンダー内を少なくとも１つの前記ゲートまで流れて、第１のベントアセンブリから出て、前記ターゲットセクションを通り、前記シリンダー内に戻ることができ、前記媒体のセクションの鉛直方向の流路を可能とするアセンブリ。
【請求項１５】
請求項１１に記載のアセンブリにおいて、前記コンピューターが前記ターゲットセクションおよび前記媒体全体の状態を追跡し、前記媒体の全体の質と価値を推定することができることを特徴とするアセンブリ。
【請求項１６】
請求項１５に記載のアセンブリにおいて、複数のアセンブリが互いに通信して、各媒体の価値を互いに推定することができることを特徴とするアセンブリ。
【請求項１７】
請求項１６に記載のアセンブリにおいて、複数のアセンブリが、統計的分析により互いに補完して、エラーを決定し、個々のアセンブリのパフォーマンスを向上させることができることを特徴とするアセンブリ。
【発明の詳細な説明】
【技術分野】
【０００１】
本発明は、媒体を流体で飽和または通気するためのアセンブリに関する。より具体的には、本発明は、容器内または容器なしで媒体の断面を選択的に飽和させるアセンブリに関する。本発明は、任意の媒体を、所望の特性を有するかまたは提供する流体で飽和またはコーティングするために使用される。一例として、アセンブリを使用して、貯蔵庫内にある穀物を空気で飽和させることができる。この空気は、熱、湿気、燻蒸剤、またはそれらの任意の組み合わせで人工的に調整することができる。自然の空気もそのままで十分許容できる場合もある。
【背景技術】
【０００２】
穀物の乾燥、穀物の通気、またはこの両方が当技術分野で知られている。通常、穀物は、穀物ではなく空気が通過できる穴あきベッドまたは床の上の堆積またはビンに配置される。圧力勾配は、空気が穀物の塊を通過して、穀物を通して乾燥前面を押す、引く、またはその両方（押す）を行うように生成される。このプロセスは、システムが静的である点で受動的であり、穀物の塊内での条件の変化には反応しない。また、システム内の空気の流れのパターンも変更されない。乾燥前面は、下層から上層を含む穀物の塊全体を通して押し出され、穀物の塊のこれらの層や断面が調整された後においても押し出される。
【０００３】
その結果、達成する必要のある圧力勾配が大きくなり、システムに大量のエネルギーを投入する必要がある。このエネルギーは、通常、圧力勾配を生成する機械的エネルギー、および穀物から水分を除去することを促進する熱エネルギーの形態で提供される。燻蒸剤で調整された空気に関するエネルギーも考えられる。穀物の品質が最適以下であるだけでなく、多くの場合、一部の穀物は湿りすぎて、他の穀物は乾燥しすぎる。したがって、これらの欠陥に対処するアセンブリの必要性が当技術分野に存在する。  
【０００４】
本発明の目的は、穀物塊内の変化する状況に適応するシステムを提供することである。
【０００５】
本発明の他の目的は、よりエネルギー効率良く穀物塊を調整するシステムを提供することである。
【０００６】
本発明の他の目的は、より少ない時間で穀物塊を調整するシステムを提供することである。
【０００７】
本発明の他の目的は、穀物塊をより均一に調整し、保存し、またはその両方を行うシステムを提供することである。
【０００８】
これらと他の目的は、以下に記載された説明、図面および特許請求の範囲に基づいて、当業者に明らかとなる。
【発明の概要】
【０００９】
媒体を流体で飽和および／または通気するためのアセンブリまたはシステムは、入口ポートおよび排気ポートを有する中空シリンダーを含み、中空シリンダーは穀物塊などの媒体内に埋め込まれている。シリンダーは、シリンダーの開口に関連づけられた少なくとも１つのベントを有しており、選択的に開口を密閉して、流体がシリンダーから開口を通って穀物塊内に流体が流れることを防止または許可する。
【００１０】
シリンダーは、また、流体が入口ポートからシリンダを通って排出ポートから流れることを選択的に許可または防止する１つまたは複数のゲートを有し得る。シリンダー、ベント、ゲートの組み合わせによって、システムは複数のフローパターンを動的に生成して、流体を穀物塊内の目標領域またはセクションに送達することができる。フローパターンは、水平、垂直、角度つき、横方向、二次元、三次元のものである。
【００１１】
システムは、また、複数のセンサーを含んで、穀物塊内の状態とシステムの動作パラメーターを検出して送信する。検出された情報は、集中データベースの他のシステムから検出されたデータと組み合わされて比較される。
【００１２】
検出データは、コンピューターを有する制御システムで使用することができる。制御システムは、検出した情報を処理して、ベントおよび／またはゲートを動的に作動させて所望のフローパターンを生成する。
【図面の簡単な説明】
【００１３】
【図１】図１は、飽和アセンブリの側面斜視図である。
【図２】図２は、飽和アセンブリの側面断面図である。
【図３】図３は、ベントの側面断面図である。
【図４】図４は、ゲートの上面斜視図である。
【図５】図５は、ベントアセンブリの側面断面図である。
【図６】図６は、飽和アセンブリの側面断面図である。
【図７】図７は、ゲートおよびベントアセンブリの側面断面図である。
【図８】図８は、流体フローパターンの側面断面図である。
【図９】図９は、流体フローパターンの側面断面図である。
【図１０】図１０は、流体フローパターンの側面断面図である。
【図１１】図１１は、流体フローパターンの側面断面図である。
【図１２】図１２は、流体フローパターンの側面断面図である。
【発明を実施するための形態】
【００１４】
図を参照すると、媒体１１を流体で飽和させるシステム１０は、少なくとも１つの細長い中空シリンダー３２を有する。媒体１１は任意の種類であり、説明のみを目的として、乾燥させるトウモロコシなどの穀物を例として使用する。流体は、液体または気体を含むがこれらに限定されない任意のタイプのものである。飽和には、所望の特性を処理させること、含浸または注入、特に熱および質量の流れ現象を指すことが含まれるが、これらに限定されない。
【００１５】
シリンダー３２は、入口または底部のポート１３と、排出または上部のポート１５とを有して穀物塊に埋め込まれている。穀物塊１１は、堆積物に集めることができ、堆積物は防水シートで覆うか容器１２内に置くことができる。容器１２は、任意のサイズ、形状、構造であり、穀物貯蔵庫、バルクバッグ、ホッパー、バケツなどが含まれるが、これらに限定されない。一例では、容器１２は、底部１４と、側壁１６と、上部１８とを有する。上部１８は、屋根、壁、蓋などの任意のタイプのものである。
【００１６】
シリンダー３２に取り付けられ、および／または連通するものとして、ファン２４、加湿器２６、および／またはヒーター２８、または流体を所望の性質に調整する他の装置がある。シリンダ３２または複数のシリンダーは、少なくとも１つの、好ましくは複数の開口３４を有する。開口３４は、シリンダー３２の長さに沿って離間して配置され、好ましい実施例では、開口３４を覆うスクリーン３６を有する。
【００１７】
容器１２は、また、穀物塊を下部空間２２から分離する仕切り２０を有しうる。入口ポート１８、排出ポート１５に隣接して、ならびに穀物塊１１の内部に複数のセンサーが配置されている。センサー３０は、温度または湿度、およびシステム１０の動作パラメーターなど、穀物塊１１の状態または特性に関する情報を検出する。バッフルまたはフラップ３８が、シリンダー３２の外部に接続されている。バッフルは、開口３４の上部に配置されて外向きおよび下向きに延びており、穀物塊１１がシリンダー３２の周囲に配置されている際に穀物１１を開口３４から離れるように偏向させる。
【００１８】
シリンダー３２の内部に複数のベント４０が配置されている。ベント４０は、任意のサイズ、形状、構造であり、選択的にシリンダー３２内の流体の流れを密閉して、開口３４を通る穀物塊１１への流れ、または穀物塊１１から開口３４およびシリンダー３２への流体の流れを許容または防止するのに適した任意の装置を含む。
【００１９】
同様の実施例では、少なくとも１つの、好ましくは複数のゲート５２が、シリンダー３２内に、ベント４０に隣接してその上および／または下に配置されている。ベント４０、センサー３０、ゲート５２は、コンピューター４２に接続されて制御される。コンピューター４２は、プロセッサ、メモリ、モニタ、入力デバイス、ディスプレイ、およびネットワークインタフェースを有する。
【００２０】
ゲート５２は、任意のサイズ、形状および構造である。一実施例では、ゲート５２は、内面４６を有するシリンダー３２内に配置される。ゲートは、シリンダー３２の幅に延びる外面４４を有する。ゲート５２を通過する圧力空気の送達を可能にするために、半径方向に離間した複数のバーブ４８が設けられ、それぞれがエアホースまたはチューブ５０を受け入れるように構成されている。
【００２１】
ゲート５２は、円筒形の側壁５４、中央開口５８を有する底壁５６、および開放上部６０を有するハウジング５４を具える。空気圧アクチュエータ６２が、複数のクロスサポート６３によりハウジング内に取り付けられ、開放上部６０から外へ延びている。アクチュエータ６２は、スリーブ６６に出入りするように構成されたバネ式ピストン６４を有する。空気チューブ５０Ａの一つは、スリーブ６６に接続されて、圧力空気源６８からの圧力空気をアクチュエータ６２へ選択的に供給する。ピストン６４の端部７０には、プラグ７２が取り付けられている。プラグ７２は、ゲート５２のハウジングの底壁５６内の開口５８を選択的に満たして密閉するように配置されサイズ設計されている。
【００２２】
ベントアセンブリ７４が、シリンダー３２内で各ゲート５２の上および／または下に配置されている。ベントアセンブリ７４は、任意のサイズ、形状および構造である。図示された例のベントアセンブリ７４は、リンク８０により中央コネクタ７８に連結された複数のフラップ７６を有する。フラップ７６は、内面８２と上端８４とを有する。リンク８０は、第１の端部８６で中央コネクタ７８に回動可能に連結され、第２の端部８８でフラップ７６の内面に回動可能に連結されている。
【００２３】
フラップ７６に隣接したシリンダー３２は、外向きに延びるカフ９０を有する。カフ９０は、シリンダ３２の鉛直軸に対して外向きに変移点９４まで延びる第１または上部の壁９２と、変移点９４からシリンダー３２の鉛直軸へと戻るように延びる第２または下部の壁９６とを有しており、略三角形の断面を提供する。
【００２４】
第１の壁９２は、シリンダー３２から変移点９４まで角度が付けられて、穀物が壁９２に堆積するのを防ぐ。シリンダー３２は、フラップ７６と位置合わせされた複数の開口９８を有する。第２の壁９６は、変移点９４からシリンダー３２へと下向きに、好ましくは安息角で角度がつけられ、穿孔されている。
【００２５】
中央コネクタ７８は、第２の空気圧アクチュエータ１００に連結されている。第２の空気圧アクチュエータ１００は、中央コネクタ７８の上部に配置されて、シリンダー３２の内面４４に取り付けられている。第１のアクチュエータ６２と同様に、第２のアクチュエータ１００は、スリーブ６６に出入りするように構成されたバネ式ピストン６４を有する。空気チューブ５０Ｂの一つは、スリーブ６６に連結されて選択的に圧力空気をスリーブ６６に供給する。中央コネクタ７８は、ピストン６４の端部７０に連結されている。
【００２６】
複数のゲート５２とベントアセンブリ７４は、シリンダー３２内で垂直方向に離間して水平層１０２を容器１２内に画定する。垂直なシリンダー３２は、シリンダー３２と容器１２の外側の側壁１０６との間に垂直領域１０４を画定する。層１０２と領域１０４との組み合わせが、穀物塊内にセクション１０８を画定する。
【００２７】
動作中に、センサー３０が穀物塊１１に関する情報を検出して、この情報をコンピューター４２に送信して情報が保存される。一実施例では、情報はクラウドベースのストレージに送信されて、この情報は他の飽和システムからの情報と組み合わせられる。組み合わされた情報は、処理および分析されて各システムで使用され、飽和プロセスおよび効率と、各システムの人工知能を向上させることができる。
【００２８】
検出された情報はまた、処理および分析されて、穀物塊を通るフローパターンを決定して生成する。一例として、センサー３０は、温度、湿度などの穀物塊１１の状態および特性に関する情報をコンピューター４２に送信する。コンピューター４２は、水分含有量などの穀物塊１１の状態と、流量などのシステム１０の動作パラメーターとを決定する。コンピューター４２は、決定された状態および／またはパラメーターをコンピューターに保存されている既定の状態および／またはパラメーターと比較する。保存された情報には、時間パラメーター、履歴データ、他の飽和し捨て宇からの情報を含む他のソースからの外部データ、ユーザー入力、気象条件、およびこれらの組み合わせが含まれるが、これらに限定されない。
【００２９】
比較に基づいて、コンピューターが複数のベント４０および／またはゲートを作動させて開閉し、流体のフローパターンを媒体を通して効率よく向ける。ベント４０とゲート５２は、電気、油圧、機械、空気圧、またはこれらの組み合わせで動作する。特に、ソフトウェアおよびプロセッサは、また、最も高い水分含有量を有するセクションなどの飽和されるべきセクション１０８であるターゲットセクション１１０を決定する。特定されたターゲットセクション１１０に基づいて、コンピュータ４２は、電気信号または圧力空気源６８からの圧力空気の選択的な解放を通して、選択されたゲート５２とベントアセンブリ７４を動作させる。
【００３０】
フローパターンの数は、シリンダー３２、ベント４０、ゲート５２の様々な組み合わせに基づいて無制限であり、三角形などの二次元のフローパターンと、ｎ個の足を有するピラミッドなどの三次元のフローパターンとを含む。フローパターンの考えられる任意の形状を生成することができる。
【００３１】
一実施例では、１つのシリンダー３２を使用して、第１のベント４０Ａまたは７４Ａ（代替可能に使用される）が、第２のベント７４Ｂの下に間隔をあけて配置される。両方のベントを開放して、流体は入口ポート１３から排出ポート１５へと空気シリンダー３２を通って流れる。ベント７４Ａを開放して、流体の一部がベント７４Ａを通ってシリンダー３２から出て穀物塊１１へと流れる。ベント７４Ｂも開放しているため、穀物１１内の流体は、ベント７４Ｂを通ってシリンダー３２へと入り排出ポート１５へと流れる。
【００３２】
このフローパターンを向上させるため、ゲート５２Ａおよび５２Ｂは、ベント７４Ａおよび７４Ｂに隣接して配置されている。ゲート５２Ａを閉じることにより、すべての流体がベント７４Ａから穀物塊１１へと押し出される。ゲート５２Ｂを開けることにより、流体はベント７４Ｂを通ってシリンダー３２内に引き戻され、排出ポート１５へと流れる。追加的なより水平または横方向のフローパターンを得るために、有孔チューブ１７がシリンダー３２に対して離間して鉛直方向に配置される。その結果、ベント７４Ａからの流れの一部が穀物塊１１を横切って有孔チューブ１７へと流れる。
【００３３】
他の実施例では、複数のシリンダー３２を使用して、ベント７４およびゲート５２が動作して、シリンダー３２の間がターゲットセクションとなる。
【００３４】
例えば図６に示すように、層１０２がＴ０、Ｔ１、Ｔ２、Ｔ３で示されており、領域１０４がＡ、Ｂ、Ｃで示されている。ターゲットセクション１１０は、領域Ｂを横切る層Ｔ１のセクションに配置されている。
【００３５】
アセンブリは図示されているＸとＹのような２つのシリンダー３２を有しており、各シリンダーは、鉛直方向に離間したゲート５２Ａ、５２Ｂ、５２Ｃ、５２Ｄ、５２Ｅおよび５２Ｆを有し、各ゲートは、各ゲートの下に隣接して配置されたベントアセンブリ７４Ａ、７４Ｂ、７４Ｃ、７４Ｄ、７４Ｅおよび７４Ｆを有している。
【００３６】
穀物塊をまだ乾燥させていない流入空気をターゲットセクションに向けるため、示す例ではゲート５２Ａ、５２Ｅおよび５２Ｆが開けられており、他のゲートは通常の閉じたバネ付勢された位置を維持している。同時に、ベントアセンブリ７４Ｂおよび７４Ｅが開けられて、他のベントアセンブリは通常の閉じられたバネ付勢された位置を維持している。その結果、空気の流れが生成されて、ファン２４からヒーター２８または他の調整装置を通ってシリンダー３２Ｘに入り、開いたゲート５２Ａと閉じたベントアセンブリ７４Ａを通過して、閉じたゲート５２Ｂと開いたベントアセンブリ７４Ｂへと流れる。
【００３７】
流入流体は、開いたベントアセンブリ７４Ｂを通って開いたベントアセンブリ７４Ｅの方向へ、水平方向に直線でターゲットセクション１１０へと引きこまれる。穀物塊を乾燥させた流出空気は、ベントアセンブリ７４Ｅを通ってシリンダー３２Ｙに入り、開いたゲート５２Ｅおよび５２Ｆと閉じたベントアセンブリ７４Ｆを通過して、シリンダー３２Ｙから排出される。入口ポート１３からシリンダー３２Ｙへの流れは、閉じたゲート５２Ｄにより制限される。
【００３８】
フローパターンは、シリンダー３２Ｘ、シリンダー３２Ｙ、またはその両方にある多くのベント７４を開けることにより、さらに拡張させることができる。例えば、ベント７４Ｂおよびゲート５２Ｅを開けることに加えて、ベント７４Ａを開けることにより、フローパターンは直線から三角形に変化する。より詳細には、流体の一部は三角形のベント７４Ａからベント７４Ｅへと流れ、流体の一部はベント７４Ｂから７４Ｅへと直線に横切って流れる。
【００３９】
ゲート５２Ａを閉じてゲート５２Ｂと５２Ｃを開けることにより、改変したフローパターンを生成することができる。その結果、流体の一部がベント７４Ａから７４Ｂに流れ、一部がベント７４Ａから７４Ｅに流れる。ベント７４Ｂと７４Ｅに到達した後で、流出体は制限されずに排出ポート１５を通ってシステムを出る。
【００４０】
ベント７４Ａを閉じてベント７４Ｂ、７４Ｄ、７４Ｅを開け、ゲート５２Ａ、５２Ｅを開けてゲート５２Ｂ、５２Ｄを閉じることにより、改変したフローパターンを生成することができる。その結果、流体の一部はベント７４Ｄからベント７４Ｂと７４Ｅの両方に向かうがベント７４Ｅのみを通り、ベント７４Ｂからの流体は７４Ｅへ向かってこれを通る。
【００４１】
さらなる他の改変したフローパターンでは、ベント７４Ａ、７４Ｂ、７４Ｅ、７４Ｆが開いており、ゲート５２Ａ、５２Ｅ、５２Ｆも開いている。その結果、流体がベント７４Ａからベント７４Ｅへ、および７４Ｂから７４Ｆの角度で流れて、多角形のフローパターンを形成する。
【００４２】
ターゲットセクション１１０の短絡を回避するために、任意のフローパターンを調整することができる。これは、ベントを部分的に開くか、一方のシリンダー内の空気の流れをもう一方のシリンダーに対して調整することによって、ベントを通る流れを下げることによって行われる。また、ベント７４とゲート５２の高さを変えて、フローパターンを変化させることができる。最後に、導管を複数のシリンダー、特に入力ポートに接続させて連通させることができる。
【００４３】
フローパターンの改変は、多くの理由から有益である。フローパターンを変化させる機能により、センサーにより検出した、または履歴データ、外部データもしくは人間の入力により確認された穀物塊内の状態を変更できる。より小さな穀物の深さおよび／または水平なフロープロファイルを人為的に形成することにより、流体が穀物塊を通るのに必要なエネルギーを削減することができる。フローパターンの高さと方向を制御することで、乾燥前面を効率的に人為的に穀物塊を通って移動させることができ、穀物を乾燥させる時間を平衡ではなく制御されたシステムに依存させることができる。穀物塊の異なるセクションを通る流れを変化させることで、乾燥すべきセクションを穀物塊全体を通して、正確な既定のレベルでそれ以上でも以下でもなく乾燥させることができる。
【００４４】
他の穀物塊からのデータは、システムのエラーや他の要因をチェックするために使用することができる。例えば、腐敗するリスクのある統計的に類似した穀物塊からのデータに基づいて、穀物塊の特定のセクションを先に通気するためにデータを使用することができる。このデータは、故障したセンサーから検出された情報を置き換えるためにも使用することができる。
【００４５】
コンピューター４２は、ターゲットセクションが所望の状態となったときにフローパターンを修正する。水分含有量、ホットスポットの数、およびその他の関連データが、穀物塊の値の新しいプロトコルとスコアシートを作成するために、保管シーズンにわたって収集される。これは、塊中の穀物の理論的な乾燥損失を数学的に推定するために行われてもよい。これは、数回の保管シーズンにわたって行い、市場で販売されている穀物の実際の価値と比較して、推定の正確性を向上させることができる。これは、塊内の穀物の特定の品質に関連する絶対的な期間で、または他の穀物塊内の穀物と比較した相対的な期間で、またはその両方で行うことができる。穀物の価値の相対的な推定を提供するために使用されるデータは、穀物市場における調査を提供するためにも使用できる。このデータはまた、人工知能により機械学習を発展させるためにコンピュータ４２により使用される。内部データおよび外部データの両方に基づいて、コンピューターは、穀物塊を保護し、乾燥時間を削減し、エネルギー消費を削減するフローパターンを予測して生成する。
【００４６】
したがって、流体で媒体を飽和するためのアセンブリであって、穀物塊を流入体で乾燥させるためのアセンブリを含むものが開示されており、これは少なくとも記載された目的を達成するものである。
【図１】
2021523831.tif 000003
【図２】
2021523831.tif 000004
【図３】
2021523831.tif 000005
【図４】
2021523831.tif 000006
【図５】
2021523831.tif 000007
【図６】
2021523831.tif 000008
【図７】
2021523831.tif 000009
【図８】
2021523831.tif 000010
【図９】
2021523831.tif 000011
【図１０】
2021523831.tif 000012
【図１１】
2021523831.tif 000013
【図１２】
2021523831.tif 000014
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
流体で媒体を飽和させるアセンブリにおいて：
入口ポートと排出ポートを有して、媒体に埋め込まれている少なくとも１つの中空シリンダーと；
少なくとも１つの前記中空シリンダーの開口を選択的に開閉する少なくとも１つのベントアセンブリと；を具え、
少なくとも１つのゲートが前記媒体を複数の水平方向の層に分割していることを特徴とするアセンブリ。
【請求項２】
請求項１に記載のアセンブリにおいて、少なくとも１つの前記ゲートが少なくとも１つの前記中空シリンダー内に配置されて、少なくとも１つの前記シリンダーを通る流体の流れを選択的に制限することを特徴とするアセンブリ。
【請求項３】
請求項１に記載のアセンブリにおいて、少なくとも１つの前記ベントアセンブリが空気圧式であることを特徴とするアセンブリ。
【請求項４】
請求項１に記載のアセンブリが、さらに、前記媒体内に配置された複数のセンサであって、媒体の状態を測定するように構成された複数のセンサを具えることを特徴とするアセンブリ。
【請求項５】
請求項１に記載のアセンブリにおいて、１以上の流体調整装置が、前記中空シリンダーと連通していることを特徴とするアセンブリ。
【請求項６】
請求項１に記載のアセンブリにおいて、少なくとも２つの中空シリンダーが流体を案内し、前記媒体を通る水平方向の流体の移動を可能とすることを特徴とするアセンブリ。
【請求項７】
請求項１に記載のアセンブリにおいて、少なくとも２つの中空シリンダーが、前記媒体内に鉛直方向の領域を分割することを特徴とするアセンブリ。
【請求項８】
請求項１に記載のアセンブリにおいて、前記媒体が、水平方向の層と鉛直方向の領域により画定されるセクションを有することを特徴とするアセンブリ。
【請求項９】
請求項８に記載のアセンブリにおいて、各セクションに関連する少なくとも１つのセンサーが、前記セクション内の媒体に関する情報をコンピューターに送信し、当該コンピューターが前記セクション内の媒体の状態を計算することを特徴とするアセンブリ。
【請求項１０】
請求項９に記載のアセンブリにおいて、前記コンピューターがターゲットセクションを決定することを特徴とするアセンブリ。
【請求項１１】
請求項１０に記載のアセンブリにおいて、前記コンピューターが少なくとも１つの前記ベントアセンブリと少なくとも１つの前記ゲートを作動させて、流入する流れと、前記ターゲットセクションを通る流れと、前記ターゲットセクションから排出される流出する流れとの流路を生成することを特徴とするアセンブリ。
【請求項１２】
請求項９に記載のアセンブリにおいて、少なくとも２つのシリンダーが前記媒体に埋め込まれ、各シリンダーが少なくとも１つのゲートと１つのベントアセンブリとを有しており、前記ゲートとベントアセンブリが、１つのシリンダーを通る流入する空気と、前記ターゲットセクションを通る流れと、前記媒体から前記他方のシリンダーへの排出および水平方向の空気の流れとを可能にすることを特徴とするアセンブリ。
【請求項１３】
請求項９に記載のアセンブリにおいて、少なくとも１つの前記シリンダーが複数のベントアセンブリを有し、前記ベントアセンブリの間に少なくとも１つのゲートアセンブリを有しており、流入した空気が前記シリンダー内を少なくとも１つの前記ゲートまで流れて、第１のベントアセンブリから出て、前記ターゲットセクションを通り、前記シリンダー内に戻ることができ、前記媒体のセクションの鉛直方向の流路を可能とするアセンブリ。
【請求項１４】
請求項１０に記載のアセンブリにおいて、前記コンピューターが前記ターゲットセクションおよび前記媒体全体の状態を追跡し、前記媒体の全体の質と価値を推定することができることを特徴とするアセンブリ。
【請求項１５】
請求項１４に記載のアセンブリにおいて、複数のアセンブリが互いに通信して、各媒体の価値を互いに推定することができることを特徴とするアセンブリ。
【請求項１６】
請求項１５に記載のアセンブリにおいて、複数のアセンブリが、統計的分析により互いに補完して、エラーを決定し、個々のアセンブリのパフォーマンスを向上させることができることを特徴とするアセンブリ。
【請求項１７】
流体で媒体を飽和させるアセンブリにおいて：
入口ポートと排出ポートを有して、媒体に埋め込まれている少なくとも２つの中空シリンダーと；
少なくとも２つの前記中空シリンダーにおける開口を選択的に開閉する少なくとも１つのベントアセンブリと；を具え、
前記媒体が、水平方向の層と鉛直方向の領域によって画定されたセクションを有し；
各セクションに関連する少なくとも１つのセンサーが、前記セクション内の媒体に関する情報をコンピューターに送信し、当該コンピューターが前記セクション内の媒体の状態を計算し；
少なくとも２つの前記中空シリンダーのそれぞれが、少なくとも１つのゲートと少なくとも１つのベントアセンブリを有しており、当該ゲートおよびベントアセンブリが、１つのシリンダーを通る流入する空気と、前記ターゲットセクションを通る流れと、前記媒体から他方のシリンダーを通る排出および水平方向の空気の流れとを可能にすることを特徴とするアセンブリ。
【請求項１８】
請求項１７に記載のアセンブリにおいて、１以上の流体調整装置が、前記中空シリンダーと連通していることを特徴とするアセンブリ。
【請求項１９】
請求項１７に記載のアセンブリにおいて、前記コンピューターがターゲットセクションを決定することを特徴とするアセンブリ。
【請求項２０】
請求項１７に記載のアセンブリにおいて、前記コンピューターが少なくとも１つの前記ベントアセンブリと少なくとも１つの前記ゲートを作動させて、流入する流れと、前記ターゲットセクションを通る流れと、前記ターゲットセクションから排出される流出する流れとの流路を生成することを特徴とするアセンブリ。
【請求項２１】
請求項１７に記載のアセンブリにおいて、少なくとも１つの前記シリンダーが複数のベントアセンブリを有し、当該ベントアセンブリの間に少なくとも１つのゲートアセンブリを有しており、流入した空気が前記シリンダー内を少なくとも１つの前記ゲートまで流れて、第１のベントアセンブリから出て、前記ターゲットセクションを通り、前記シリンダー内に戻ることができ、前記媒体のセクションの鉛直方向の流路を可能とするアセンブリ。
【請求項２２】
請求項１９に記載のアセンブリにおいて、前記コンピューターが前記ターゲットセクションおよび前記媒体全体の状態を追跡し、前記媒体の全体の質と価値を推定することができることを特徴とするアセンブリ。
【請求項２３】
請求項２２に記載のアセンブリにおいて、複数のアセンブリが互いに通信して、各媒体の価値を互いに推定することができることを特徴とするアセンブリ。
【請求項２４】
請求項２３に記載のアセンブリにおいて、複数のアセンブリが、統計的分析により互いに補完して、エラーを決定し、個々のアセンブリのパフォーマンスを向上させることができることを特徴とするアセンブリ。
【国際調査報告】
2021523831.tif 000015
2021523831.tif 000016